(57)【特許請求の範囲】
【請求項１】
上面開口有底容器の上面開口部を柔軟な合成樹脂フィルムで被覆して、上記合成樹脂フィルムの縁部を上記上面開口有底容器の上記上面開口部の縁部又は上記上面開口有底容器の側面に接続することで上記合成樹脂フィルムを上記上面開口部に張設し、上記合成樹脂フィルム表面には宙吊り用の柔軟な収納凹部が塑性変形により複数凹設されてなる果実等の物品の収納容器において、
上記合成樹脂フィルムは厚みが１５μｍ〜１５０μｍであって、上記各収納凹部の内周面が各々上記収納凹部の底部に向う略錐面又は略球面であって、上記各収納凹部の上記底部には切込線を各々貫設し、
略錐形の果実等の物品を上記各々の収納凹部の上記略錐面又は上記略球面に小径の下端部を嵌合させ、上記各下端部を上記各切込線を貫通して上記各収納凹部の下側に露出させ、上記露出した上記各果実等の物品の下端と上記上面開口有底容器の底板との間に空間を介在させた状態で、上記各果実等の物品を上記各収納凹部にて縦方向の宙吊り状態で支持し得るように構成し、
かつ上記各収納凹部に収納された上記各果実等の物品の大径の各上端部に弾性シートを密着させて被覆することで上記各上端部を支持し、上記弾性シートと上記上面開口有底容器とを接合部材にて一体に接合してなる果実等の物品の収納容器。
【請求項２】
上記各果実等の物品は大径の上記上端部から小径の上記下端部に向けて略錐形の形状を有しており、
上記合成樹脂フィルムの上記各収納凹部は、上記各切込線から上記各果実等の物品の略錐形の上記下端部が露出した状態で、上記各収納凹部の内周面を以って上記各果実等の物品の略錐形の上半部を支持するものであり、
上記各果実等の物品はその錐形の上記下端部を下方に向けた直立状態で上記各収納凹部に縦方向の宙吊り状態で嵌合支持されるものである請求項１記載の果実等の物品の収納容器。
【請求項３】
上記弾性シートを下側に、上記上面開口有底容器の底部を上側に位置させることにより、上記各収納凹部に収納された上記各果実等の物品の小径の上記下端部が上に向いた起立状態において、当該容器が運搬に供されるものであることを特徴とする請求項２記載の果実等の物品の収納容器。
【請求項４】
上記上面開口有底容器の内部に上記各収納凹部間の上記合成樹脂フィルム裏面を支持する突起を設けた請求項１〜３の何れかに記載の果実等の物品の収納容器。
【請求項５】
上記接合部材は、上記弾性シートと上記上面開口有底容器を挟持し得る蓋板である請求項１〜４の何れかに記載の果実等の物品の収納容器。
【請求項６】
上記果実等の物品は苺である請求項１〜５の何れかに記載の果実等の物品の収納容器。
【発明の詳細な説明】
【技術分野】
【０００１】
本発明は苺等の比較的傷付き易い果実等の物品を傷付けることなく安全に収納し運搬することができる果実等の物品の収納容器に関するものである。
【背景技術】
【０００２】
従来、苺等の物品収納容器では、柔軟な合成樹脂フィルムに複数の物品収納凹部を塑性変形により形成し、当該フィルムを硬質な上面開口有底容器の開口部に張設し、当該フィルムの物品収納凹部が上記容器の底面に接触しないように構成し、該物品収納凹部内に苺等の果実又は物品を横向に宙吊り収納する収納容器が提案されている（特許文献１，２）。
【先行技術文献】
【特許文献】
【０００３】
【特許文献１】特開２００８−８１１９５号
【特許文献２】特開２００９−９６５４７号
【発明の概要】
【発明が解決しようとする課題】
【０００４】
ところで、特許文献１，２の果実等の物品収納容器では、苺等のほぼ錐形収納物を横向に凹部に収納するものであるため、横向きの苺の略下半分が上記凹部内に位置して当該凹部のフィルムに密着し、横向きの苺の略上半分が上記凹部の上に臨出した状態で、当該苺が上記凹部フィルムによって宙吊り収納されるものであった。
【０００５】
このような収納容器においては、苺は上記柔軟なフィルムによって宙吊り収納されているので、苺表面が傷付くことは通常はないが、各苺が横向きに並列に収納されており、隣接する苺同士が比較的接近している。
【０００６】
従って、運搬中に何らかの原因で、果実収納容器に対して強い衝撃等が加わった場合であっても、隣接する収納苺等の物品が接触等することのない果実等の収納容器の実現が望まれている。
【０００７】
本発明は苺等のように表面が柔らい果実等を収納した状態において、容器に強い衝撃が加わった場合であっても、苺等の物品の表面を傷付けることなく安全に収納支持し、運搬することができる果実等の物品の収納容器を提供することを目的とする。
【課題を解決するための手段】
【０００８】
上記の目的を達成するために本発明は、
第１に、 上面開口有底容器の上面開口部を柔軟な合成樹脂フィルムで被覆して、上記合成樹脂フィルムの縁部を上記上面開口有底容器の上記上面開口部の縁部又は上記上面開口有底容器の側面に接続することで上記合成樹脂フィルムを上記上面開口部に張設し、上記合成樹脂フィルム表面には宙吊り用の柔軟な収納凹部が塑性変形により複数凹設されてなる果実等の物品の収納容器において、上記合成樹脂フィルムは厚みが１５μｍ〜１５０μｍであって、上記各収納凹部の内周面が各々上記収納凹部の底部に向う略錐面又は略球面であって、上記各収納凹部の上記底部には切込線を各々貫設し、略錐形の果実等の物品を上記各々の収納凹部の上記略錐面又は上記略球面に小径の下端部を嵌合させ、上記各下端部を上記各切込線を貫通して上記各収納凹部の下側に露出させ、上記露出した上記各果実等の物品の下端と上記上面開口有底容器の底板との間に空間を介在させた状態で、上記各果実等の物品を上記各収納凹部にて縦方向の宙吊り状態で支持し得るように構成し、かつ上記各収納凹部に収納された上記各果実等の物品の大径の各上端部に弾性シートを密着させて被覆することで上記各上端部を支持し、上記弾性シートと上記上面開口有底容器とを接合部材にて一体に接合してなる果実等の物品の収納容器により構成される。
【０００９】
上記合成樹脂フィルムの縁部は、例えば合成樹脂フィルム（３）の取付縁（４，４）により構成することができる。上記上面開口有底容器の上面開口部の縁部は、例えば上面開口有底容器（１）の上面開口部（２）の下向折返し（７，７）により構成することができる。上記上面開口有底容器の側面は、例えば上記上面開口有底容器（１）の対向側面（１’，１’）により構成することができる。このように構成すると、果実等の物品の下端部が収納凹部の切込線を貫通して収納凹部の下側に露出した状態で、物品が収納凹部に縦方向の宙吊り状態に支持されるので、各物品間の距離を大きくとることができ、容器に強い衝撃が加わった場合であっても物品同士の接触を防止して物品の損傷を防止し得る。
【００１０】
第２に、上記各果実等の物品は大径の上記上端部から小径の上記下端部に向けて略錐形の形状を有しており、上記合成樹脂フィルムの上記各収納凹部は、上記各切込線から上記各果実等の物品の略錐形の上記下端部が露出した状態で、上記各収納凹部の内周面を以って上記各果実等の物品の略錐形の上半部を支持するものであり、上記各果実等の物品はその錐形の上記下端部を下方に向けた直立状態で上記各収納凹部に縦方向の宙吊り状態で嵌合支持されるものである上記第１記載の果実等の物品の収納容器により構成される。
【００１１】
このように構成すると、略錐形の果実を錐形の小径の下端部を下方に向けた直立状態で収納凹部に宙吊り支持することができるので、容器に強い衝撃が加わった場合であっても果実同士の接触を防止して物品の損傷を防止し得る。
【００１２】
第３に、 上記弾性シートを下側に、上記上面開口有底容器の底部を上側に位置させることにより、上記各収納凹部に収納された上記各果実等の物品の小径の上記下端部が上に向いた起立状態において、当該容器が運搬に供されるものであることを特徴とする上記第２記載の果実等の物品の収納容器により構成される。
【００１３】
このように構成すると、果実の大径の上端部が弾性シート上に載置され、小径の下端部が上方を向いた安定した起立状態で果実を収納凹部に安定に支持することができ、傷付き易い果実等を安定した状態で安全に収納運搬することができる。
【００１４】
第４に、上記上面開口有底容器の内部に上記各収納凹部間の上記合成樹脂フィルム裏面を支持する突起を設けた上記第１〜３の何れかに記載の果実等の物品の収納容器により構成される。
【００１５】
このように構成すると、各収納凹部間のフィルム裏面を上記突起で支持することができるため、広い面積の合成樹脂フィルムに収納凹部を例えば複数列に多数設けた場合であっても、各物品を安定して支持することができる。
【００１６】
第５に、上記接合部材は、上記弾性シートと上記上面開口有底容器を挟持し得る蓋板である上記第１〜４の何れかに記載の果実等の物品の収納容器により構成される。
【００１７】
このように構成すると、蓋板にて上記弾性シートと上記上面開口有底容器を挟持した状態で全体を持ち運びし易い一体の容器とすることができる。
【００１８】
第６に、 上記果実等の物品は苺である上記第１〜５の何れかに記載の果実等の物品の収納容器により構成される。
【００１９】
従って、苺を縦方向に起立した状態で、錐形の下端部を収納凹部の切込線から露出した状態で支持することができるため、苺の錐形の下端部周面を傷付けることなく、安全に収納し運搬することができる。
【発明の効果】
【００２０】
本発明は上述のように、果実等の物品の下端部が切込線を貫通して収納凹部の下側に露出した状態で、物品が該収納凹部に縦方向に支持されるので、各収納凹部に収納された各物品間の距離を大きくとることができ、例えば容器に強い衝撃等が加わった場合であっても物品同士の接触等を防止し得て物品の損傷を防止することができる。
【００２１】
また、果実の大径の上端部が弾性シート上に載置され、小径の下端部が上方を向いた安定した起立状態で果実を収納凹部に支持することができ、傷付き易い果実等を安定して安全に収納運搬することができる。
【００２２】
また、蓋板にて弾性シートと上面開口有底容器を挟持した状態で全体を持ち運びし易い一体の容器とすることができ、容器の天地を逆にしても内部の収納物品に損傷を与えることのない果実等の物品の収納容器を実現することができる。
【００２３】
また、苺を縦方向に起立した状態で、錐形の下端部を収納凹部の切込線から露出した状態で安定して支持することができるため、苺のような傷の付き易い果実であっても安全に収納し運搬することができる。
【図面の簡単な説明】
【００２４】
【図１】本発明の果実等の物品の収納容器を示す分解斜視図である。
【図２】蓋板を取外した状態の果実等の物品の収納容器の平面図である。
【図３】図２Ａ−Ａ線による縦断正面図である。
【図４】本発明の合成樹脂フィルムで上面開口有底容器の上面開口部を被覆した状態の縦断正面図である。
【図５】本発明の果実等の物品の収納容器の分解縦断正面図である。
【図６】苺を収納凹部に嵌合収納した状態の縦断正面図である。
【図７】苺を嵌合収納した上記収納容器の上面を弾性シートで被覆した状態の縦断正面図である。
【図８】本発明の果実等の物品の収納容器の縦断正面図である。
【図９】図８に示す果実等の物品の収納容器を上下反転して示す縦断正面図である。
【図１０】嵌合凹部が１列である果実等の物品の収納容器を示す分解斜視図である。
【図１１】（イ）は、嵌合凹部が１列である果実等の物品の収納容器の分解縦断面図（図１０のＢ−Ｂ線断面図）である。（ロ）は、苺を嵌合収納した１列の収納凹部による弾性シート被覆状態の縦断正面図である。（ハ）は、弾性シートの上面を蓋板で被覆した状態の縦断正面図である。
【図１２】（イ）は、図１１（ハ）の拡大縦断正面図である。（ロ）は、（イ）の上下反転縦断正面図である。
【図１３】図１２（ロ）の斜視図である。
【図１４】図１３に示す果実等の物品の収納容器を２列に支持した状態の斜視図である。
【図１５】合成樹脂フィルムの製造状況を示す金型の側面図である。
【発明を実施するための形態】
【００２５】
互いに直交する対向側面１’，１’及び１”，１”よりなる方形の上面開口有底容器１（図１、図２）の上面開口部２に柔軟な薄い熱可塑性合成樹脂（プラスチックス）フィルム３（例えば厚さ１５〜１５０μｍ）を張設して該開口部２を被覆（閉鎖）する。
【００２６】
そして、該フィルム３の対向辺３’，３’には上記容器１の対向側面１’，１’の外側に屈曲する取付縁４，４が該フィルム３と一体に接着剤で接着される。
【００２７】
そして、上記フィルム３には、複数の果実等の柔軟な収納凹部５を、塑性変形により、上記取付縁４，４と平行に１列（図１０〜１３）又は、複数列（図１、図２では６列）に設けて苺６の物品収納容器を形成する。
【００２８】
上記取付縁４，４は、厚紙（段ボール紙等）で形成された長方形状の板片であり、上記フィルム３の裏面３ｂは上記取付縁４，４の上面側の外縁側部４ａ，４ａ（図１のハッチングを施した部分）にのみ接着されており、上記取付縁４，４の上面側の内縁側部４ｂ，４ｂと上記フィルム３の裏面３ｂは接着されていない。従って、上記取付縁４，４は図３、図４に示すように、上記有底容器１の対向側面１’，１’又は１”，１”の上端に形成した下向折返し７，７の内側に、上記内縁側部４ｂ，４ｂを以って折込まれ、それによって上記フィルム３を上記容器１の上面開口部２に張設することができる（図３、図４参照）。
【００２９】
又は、上記フィルム３の上記取付縁４，４は、図１０に示すように、それらの内側面４ｃ，４ｃを上記上面開口有底容器１の対向側面１’，１’に接着することにより、上記容器１の上面開口部２に上記フィルム３を張設することができる。尚、上記フィルム３が上記上面開口有底容器１の上面開口部２に張設状態（ピンと張った状態）となれば、上記取付縁４，４と上記上面開口有底容器１（対向側面１’，１’）との接合方法は、係合、接着等、どのような方法でも良い。また、上記合成樹脂フィルム３の上記取付縁４，４は設けなくても良く、上記フィルム３の対向辺３’，３’を直接上記容器１の対向側面１’，１’に接着しても良い。
上面開口有底容器１は硬質な合成樹脂により成形されたものであり、透明な樹脂により構成すると内部に収納された苺等の物品を目視することができる。尚、当該容器１は樹脂に限らず、段ボール紙等により構成することもできる。
【００３０】
上記収納凹部５の上端部はほぼ円形（図１）、方形（図１０）又は異形であり、該上端部の内周面５’が該凹部５の底部５ａの中央部側に傾斜する略錐面（例えば頭部がカットされた円錐形状の面）又は略球面である（図１、図３、図１０参照）。そして、該底部５ａに直線状の切込線８（図１、図２〜図４参照）、直線状の切込線８（図１０参照）を貫通形成するものである。
【００３１】
このように形成した柔軟な収納凹部５に、苺６等のように下半部が略錐形（例えば略円錐形状）であり、上端部６”（蔕１５のある部分）がほぼ平面又は球面である物品をほぼ錐形の下端部６’を下向に嵌合させることができ、嵌合させることによって図６、図７、図８、図１１（ロ）、図１２（イ）等に示すようにほぼ錐形の下端部６’が切込線８を開いて切欠口８’を形成し、かかる切欠口８’を経て凹部５の下方に露出し、略錐形部分の周面（上半部）を凹部５の内周面５’によって支持することができ、その状態において開かれた上記切込線８の下方に突出して露出した収納果実、即ち苺６の露出した下端部６’（下端６ａ）と上記有底容器１の底板１ａとの間に空間Ｓを介在させる（図８、図１１（ハ）、図１２（イ）にその状態を示す）。
【００３２】
尚、上記物品は例えば大径の上端部６”から小径の下端部６’に向けて略錐形（例えば円錐形状）を有する果実等であり、苺の他、同様の形状を有する果実、野菜その他の物品でも良い。
【００３３】
即ち、上記苺６の下端部６’が上記切欠口８’から下方に露出した状態で、上記苺６の上半部には上記凹部５の柔軟な内周面５’が密着した状態となり、当該苺６は上記凹部５によって縦方向の宙吊り状態に支持される。
【００３４】
上記嵌合苺６の上端部６”は平坦なほぼ円弧形であり、上記フィルム３の上記凹部５の上端開口部と同一水準又は若干上方に突出する程度である（図６、図７、図８、図１１（ロ）（ハ）、図１２（イ））。
【００３５】
従って、上記合成樹脂フィルム３の上面に比較的厚さの大きい合成樹脂製スポンジによる柔軟な弾性シート９（厚さ約１０ｍｍ）を着脱自在に載置して、上記合成樹脂フィルム３及び凹部５に収納した上記苺６等の上端部６”に密着させ、これを被覆することができる（図７参照）。
【００３６】
上記柔軟弾性シート９は上記合成樹脂スポンジによることなく、合成樹脂フィルム３の下面又は上面に上記凹部５にそれぞれ重合する空気室を設けたシート（図示していない）を用いることができる。
【００３７】
このようにした上記弾性シート９の上面には蓋板１０を着脱自在に載置し、該蓋板１０の対向辺１０’，１０’を上記柔軟弾性シート９の対向辺９’，９’から下向に屈曲し、さらに上記フィルム３の取付縁４，４の外側に下向に屈曲し、該屈曲対向辺１０’，１０’を図１、図８、図１１（ハ）に示すように粘着テープ１１，１１によって、上記容器１の対向側面１’，１’又は底部１ａ’の下面に支持（接着）することができる。
【００３８】
図１の実施形態の上記有底容器１の底板１ａの上面には、該容器１の対向側面１’，１’に沿って複数の円錐形突起（フィルム下面支持体）１２を突設し、これらの突起１２の上端面１２’によって上記凹部５，５間の上記フィルム３の裏面３ｂを支持する（図２参照）。即ち、上記上面開口有底容器１の内部に上記各収納凹部５間の上記フィルム裏面３ｂを支持する突起１２を設ける。このように構成すると、各収納凹部５間のフィルム裏面３ｂを上記突起１２の上端面１２’で支持することができるため、広い面積の合成樹脂フィルム３に収納凹部５を複数列に多数設けた場合であっても、各苺６を安定して支持することができる。
【００３９】
又、図１０に示すように、上記凹部５が、上面開口部２が長方形の上面開口有底容器１の上面開口部２に１列に形成された場合には、上記円錐形突起１２に代わり上記フィルム３の下面を長い対向側面１’，１’の上端で充分支持し、該側面１’，１’を突起１２に代えることができる。
【００４０】
柔軟な上記熱可塑性合成樹脂フィルム３は図１５に示す真空成型法により形成することができる。即ち、複数の収納凹部１６が形成され、さらに複数の吸引用貫通孔１７が形成された略直方体形状の金型１８を網状板１９上に水平に載置し、当該金型１８上に加熱して軟化させた合成樹脂フィルム３を被覆し、その状態で上記吸引用貫通孔１７を介して真空吸引（矢印ａ）することで、図１、図１０に示す柔軟な収納凹部５を塑性変形により形成し、これによる柔軟な上記合成樹脂フィルム３を形成することができる。尚、上述のようにフィルム３を成形した後、各収納凹部５毎に上記切込線８を貫通形成する。
【００４１】
この合成樹脂フィルム３は、成型後においては図１、図１０に示すような立体的形状となっているが、その厚さが極めて薄いため、全体的に上記収納凹部５を含めて全体が柔軟性を有しており、上記収納凹部５及びフィルム３全体を不定形に圧縮することができ、折り畳んで収納することもできる。また、フィルム３全体を不定形に圧縮した後においても、上記収納凹部５は塑性変形しているため、元の形状に容易に戻すことができ、苺６をその下端部６’から収納凹部５に挿入していくと、切込線８が柔軟に開いて当該凹部５に挿入することができ、上記収納凹部５の内周面５’が苺６の上半部内周面に密着し、当該苺６を宙吊り状態で収納支持することができる。また上記合成樹脂フィルム３は、ポリエチレン、ポリプロピレン、ポリウレタン、ポリスチレン等の非常に薄い柔軟性のある熱可塑性合成樹脂薄フィルムにより形成されており、そのフィルム３の厚みは例えば１５μｍ〜１５０μｍであり、収納される果実に応じてその厚みを変化させる。
【００４２】
本発明は上述のように構成されるため、本発明に係る果実等の物品の収納容器を構成するには、まず、図１の上面開口有底容器１の上面開口部２に熱可塑性合成樹脂フィルム３を張設する。具体的には、上記フィルム３を広げて上記上面開口部２に宛がい（図３参照）、両側の取付縁４，４を内側に回動し（矢印Ｎ方向）、両側の内縁側部４ｂ，４ｂを上記容器１の下向折返し７，７内に係合させることにより、上記フィルム３を上記上面開口部２に張設（ピンと張った状態に）する（図４参照）。図１０の場合は、上記フィルム３の両側の取付縁４，４を上面開口有底容器１の対向側面１’，１’に接着することにより、上記フィルム３を上記有底容器１の上面開口部２に張設（ピンと張った状態に）する（図１０参照）。
【００４３】
その後、図５、図１１（イ）に示すように、苺６の錐形の下端部６’を鉛直下向きの状態で、上記下端部６’を上記収納凹部５に対向させて、当該苺６を上記凹部５内に挿入して行く。すると、上記収納凹部５はそれ自体柔軟なフィルム３により構成されているため、上記苺６の下端部６’は上記凹部５の切込線８を押し広げながら下方に進行し、図６、図１１（ロ）に示すように、上記下端部６’が上記切込線８を押し開いて切欠口８’を形成し、該切欠口８’から上記凹部５の下方に露出した状態で、上記凹部５に支持される。  
【００４４】
即ち、苺６の下端部６’は上記切込線８から下方に露出しているが、当該苺６は上記下端部６’の周面に上記切欠口８’の周縁が接触すると共に、上記凹部５のフィルムの内周面５’が上記苺６の上半部に密着することで、当該苺６のそれ以上の下降が阻止され、当該苺６の下端部６’と上記上面開口有底容器１の底板１ａとの間に空間Ｓが存在する状態で、当該苺６は上記凹部５に吊り下げ状態（宙吊り状態）で支持される（図６、図１１（ロ））。
【００４５】
同様に、上記フィルム３の全ての上記収納凹部５に上記苺６を同様に収納して行く。上記収納凹部５内に収納された全ての苺６は、錐形の下端部６’が鉛直下向（直立状態）となるように、上記凹部５内に、縦方向の宙吊り状態で収納されており、隣接する収納苺６の錐形の下端部６’同士が比較的長い距離Ｔを以って位置しているので（図２、図８、図９、図１３参照）、容器１に強い振動（衝撃）が加わっても上記苺６の下端部６’同士が互いに接触することはなく、苺６の表面の傷付きを効果的に防止することができる。
【００４６】
このとき、図１の容器では、各苺６は上記収納凹部５に縦方向に収納され、当該凹部５に苺６の荷重が下向きに作用するが、上記収納凹部５の周囲に続くフィルム３の面（裏面３ｂ）に上記円錐形突起１２の上端面１２’が接触することで、上記各苺６は上記収納凹部５内に縦方向の吊下げ状態（宙吊り状態）で支持される。尚、上記容器１の対向側面１’，１”に沿った収納凹部５においては、上記突起１２と上記対向側面１’，１”に吊下げ支持された状態で、上記収納凹部５内に縦方向の宙吊り状態となる（図６参照）。
【００４７】
また、図１０の容器では、各苺６は上記収納凹部５に縦方向（直立状態）に収納され、当該凹部５に苺６の荷重が下向きに作用するが、上記収納凹部５の周囲に続くフィルム３の面（裏面３ｂ）に上記対向側面１’，１’が接触することで、上記各苺６は上記収納凹部５内に縦方向の吊下げ状態（宙吊り状態）で支持される（図１１（ロ）参照）。
【００４８】
全ての上記収納凹部５に苺６を同様に収納すると、上記各収納凹部５の位置には、上記合成樹脂フィルム３の上面側に各苺６の蔕１５の部分（上端部６”）が臨出しているので、上記フィルム３の表面３ａ側に弾性シート９を載置して上記各苺６の上記上端部６”を被覆し（図６、図７、図１１（ロ）参照）、その後、上記弾性シート９の上面側に蓋板１０を被せ（図７、図８、図１１（ハ）参照）、その対向片１０’，１０’を上記容器１の対向側面１’，１’側に折り込み、上記蓋板１０の内面で上記弾性シート９を上記各苺６の蔕１５側に押し付けるようにして、上記弾性シート９と上記上面開口有底容器１を挟持し、上記対向側面１０’，１０’に設けた粘着テープ１１，１１を容器１の底部１ａ’に接着することで、上記蓋板１０と上記容器１とを一体的に接合する（図８、図１１（ハ）、図１２（イ）参照）。
【００４９】
これにより、図８、図１１（ハ）に示すように、上記各苺６はその下端部６’を上記切込線８から下方に露出させた状態で上記凹部５内に吊り下げ状態（宙吊り状態）で支持されているが、下端部６’とは反対側の蔕１５側（上端部６”側）は上記弾性シート９によって共通に被覆され、支持された状態となっている。
【００５０】
実際に運搬を行う場合は、図９、図１２（ロ）に示すように、図８、図１２（イ）に示す状態から天地（上下）を逆転した状態で行う。即ち、上記弾性シート９を下側に、上記上面開口有底容器１の底部１ａ’を上側に位置させることにより、上記各収納凹部５に収納された上記各苺６の小径の上記下端部６’が上に向いた起立状態において、当該容器１を運搬する。要するに上記蓋板１０を水平台板等に載置した状態、即ち、上記各苺６は、大径の上記蔕１５の部分（上端部６”）が下側に位置し、大径の上記上端部６”を上記弾性シート９上に載置し、小径の上記錐形の下端部６’を鉛直上方に向けた起立状態で上記各収納凹部５に支持された状態となっている（図９、図１２（ロ）、図１３参照）。
【００５１】
この状態においては、上記各苺６は、上記下端部６’を起立させた状態において、隣接する苺６との間に間隔Ｔを保ったまま、傷付き易いその錐形の下端部６’が、柔軟な上記収納凹部５の上記切込線８の部分（切欠口８’の柔軟な縁部）にて柔軟に支持され、かつ、上記各苺６の上半部は上記収納凹部５の柔軟な内周面５’が密着して柔軟に支持されており、かつ上記各苺６の蔕１５のある大径の上端部６”は柔軟の弾性シート９上に安定的に支持されている。
【００５２】
従って、上記各苺６は図９、図１２（ロ）、図１３に示すように、大径の上端部６”が弾性シート９上に安定して支持された起立状態のまま、上記小径の上記下端部６’側が上記切込線８及び収納凹部５内周面５’によって柔軟に位置規制された状態となっている。よって、容器１に大きな振動が加わった場合であっても、上記苺６は上記凹部５に支持された状態で蔕１５側（上端部６”）がその弾性シート９上に安定して載置されているので、弾性シート９上にある上端部６”側（図９、図１３の下側）は振動したり、位置ずれしたりすることなく安定しており、しかも、上記各苺６の上記下端部６’側（図９、図１３の上側）は、互いに間隔Ｔを保持したまま、上記合成樹脂フィルム３の柔軟な各凹部５の切欠口８’（切込線８）によって柔軟に位置規制された状態で連結支持されているので、多少振動するが大きく揺れることはなく、上記起立状態を維持し得て、隣接する苺６が互いに接触することはないため、各苺６の錐形の下端部６’が傷付くことはなく、苺同士の接触による損傷を効果的に防止することができる。
【００５３】
このように、図９、図１３の状態においては、上記各苺６は、上記フィルム３の凹部５内に収納された状態のまま、その大径の蔕１５の部分（上端部６”）が上記弾性シート９上に安定して載置された状態となっている。このとき上記各苺６は、各々、その錐形の下端部６’の周面が上記凹部５の切欠口８’の周縁で支持され、上記蔕１５の部分が上記弾性シート９上に載置された状態で、上記下端部６’を真上に向けた直立状態で上記凹部５にて支持された状態となっている。
【００５４】
従って、隣接する苺６同士は、その頂点間が距離Ｔ離間した直立状態となっているので、隣接する苺６同士の距離Ｔが大きく、よって強い衝撃が加わっても、互いに下端部６’同士が接触することはなく、苺６表面の損傷を効果的に防止することができるのである。
【００５５】
天地逆転させる前においては、上記各収納凹部５内に苺６等の下端部６’を下向に収納し（図８、図１２（イ））、該凹部５の内周錐面又は内周球面に嵌合させると、該下端部６’は上記切込線８を拡大開口し、又は切欠口８’を通過して下方に露出し、露出した上記苺６等の下端部６’及び下端６ａは上記有底容器１の底板１ａ上面と、上記切欠口との間の空間Ｓ内に懸垂状態に保持され、かつ上記各収納凹部５間の上記合成樹脂フィルム３裏面３ｂは上記有底容器１の底板１ａに突設した支持体１２の上端によって、一定水準に支持される。
【００５６】
そして、苺６等のほぼ錐形果実の錐形下端部６’を下向とし、かつ大径上端部６”を上向状態に凹部５に嵌合収納し得るばかりでなく、該凹部５に収納した上記果実の上部の錐面を緩むことなく上記凹部５に密着嵌合支持し、かつ該果実の下端部６’を上記凹部５から下方に露出し、かつ該下端部６’を上記有底容器１の底板１ａに接触させることなく、空間Ｓに保持し得て、上記フィルム３の裏面３ｂを突起（フィルム下面支持体）１２によって支持し得て、上記凹部５に収納した苺６等の果実の露出下端部６’は底板１ａへ接触することなく安全であり、上記果実の下端部６’を空間Ｓに露出し得て苺６等の果実類の側面の接触による損傷を軽減し得る効果がある。
【００５７】
図１４に示すものは、図１３に示す１列の上面開口有底容器１を２個並設し、１つの蓋板１０にて一体に接合したものである。このように構成することにより、複数列の容器１をまとめて運搬することができるし、一列毎に容器１が独立しているので、広い合成樹脂フィルム３に多数列の収納凹部５を複数形成する場合に比べて、各容器１内の収納苺６をより安全に収納運搬することができる。
【００５８】
本発明は上述のように、果実等の物品の下端部６’が凹部５の切込線８を貫通して収納凹部５の下側に露出した状態で、該収納凹部５に縦方向に支持されるので、各収納凹部５に収納された各物品間の距離Ｔを大きくとることができ、例えば容器に強い衝撃等が加わった場合であっても物品同士の接触等を防止し得て物品の損傷を防止し得る果実等の物品の収納容器を実現することができる。
【００５９】
また、果実（苺６等）の大径の上端部６”が弾性シート９上に載置され、小径の下端部６’が上方を向いた安定した起立状態で果実（苺６等）を収納凹部５に支持することができ、傷付き易い果実等を安定して安全に収納運搬することができる果実等の物品の収納容器を実現することができる。
【００６０】
また、蓋板１０にて弾性シート９と上面開口有底容器１を挟持した状態で全体を持ち運びし易い一体の容器とすることができ、容器１の天地を逆にしても内部の収納物品（苺６等）に損傷を与えることのない果実等の物品の収納容器を実現することができる。
【００６１】
また、苺６を縦方向に起立した状態で、錐形の下端部６’を収納凹部５の切込線８から露出した状態で安定に支持することができるため、苺６のような傷の付き易い果実であっても安全に収納し運搬することができる果実等の物品の収納容器を実現したものである。
【００６２】
また、略錐形の果実（苺６等）を錐形の小径の下端部６’を下方に向けた直立状態で収納凹部５に宙吊り支持することができるので、容器１に強い衝撃が加わった場合であっても収納物品同士の接触を防止して物品（苺６等）の損傷を防止し得る。
【００６３】
また、各収納凹部５間のフィルム裏面３ｂを突起１２で支持することができるため、広い面積の合成樹脂フィルム３に収納凹部５を例えば複数列に多数設けた場合であっても、各物品を安定して支持することができる。
【産業上の利用可能性】
【００６４】
本発明に係る果実等の物品の収納容器は、苺等の傷付き易い果実に損傷を与えることなく収納かつ運搬することができるし、果実に限らず、その他各種の物品を安全に収納し運搬し得る容器として広く利用することができる。
【符号の説明】
【００６５】
１      上面開口有底容器
１’    対向側面
１ａ    底板
１ａ’  底部
２      上面開口部
３      合成樹脂フィルム（熱可塑性合成樹脂フィルム）
３ａ    表面
３ｂ    裏面
４      取付縁
５      収納凹部
５’    内周面
５ａ    底部
６      苺（物品）
６’    下端部
６”    上端部
６ａ    下端
７      下向折返し
８      切込線
９      弾性シート
１０    蓋板（接合部材）
１２    円錐形突起（突起）
Ｓ      空間
【図１】
0005864908.tif 000002
【図２】
0005864908.tif 000003
【図３】
0005864908.tif 000004
【図４】
0005864908.tif 000005
【図５】
0005864908.tif 000006
【図６】
0005864908.tif 000007
【図７】
0005864908.tif 000008
【図８】
0005864908.tif 000009
【図９】
0005864908.tif 000010
【図１０】
0005864908.tif 000011
【図１１】
0005864908.tif 000012
【図１２】
0005864908.tif 000013
【図１３】
0005864908.tif 000014
【図１４】
0005864908.tif 000015
【図１５】
0005864908.tif 000016